(57)【要約】【課題】食器洗い機の水路に取付けられたノズルヘッドの回転構造において、そのノズルヘッド内に流入した洗浄水のすべてを食器の洗浄に寄与させることにより、洗浄効率を上げポンプの消費電力を低減させることである。【解決手段】ノズルヘッド１４の裏面に回転翼２２を設け、水路９に設けた回転用ノズル２３から噴射した水を前記回転翼２２に当てることによりノズルヘッド１４を回転させる一方、ノズルヘッド１４に流入した水のすべてを食器の洗浄に寄与させるようにした。【選択図】  図２
2004236963.tif 000002
【特許請求の範囲】
【請求項１】
食器洗い機内部に設けた洗浄用水路にノズル取付け部を設け、該ノズル取付け部にノズルヘッドを回転自在に取付けるとともに、該ノズルヘッドの内部を前記洗浄用水路に連通させ、前記ノズルヘッドに所要数の洗浄用ノズル及び水流による回転手段を設けてなる食器洗い機のノズル回転構造において、前記回転手段として、前記ノズルヘッド裏面に回転翼を設け、前記洗浄用水路に該回転翼に向けた回転用ノズルを設けたことを特徴とする食器洗い機のノズル回転構造。
【請求項２】
食器洗い機内部に設けた洗浄用水路にノズル取付け部を設け、該ノズル取付け部にノズルヘッドを回転自在に取付けるとともに、該ノズルヘッドの内部を前記洗浄用水路に連通させ、前記ノズルヘッドに所要数の洗浄用ノズル及び水流による回転手段を設けてなる食器洗い機のノズル回転構造において、前記回転手段として、前記ノズルヘッドの内部にその内周部から外周壁に渡る範囲に所要数の螺旋翼を設けることにより該ノズルヘッド内部を複数のヘッド室に区画し、各ヘッド室を前記洗浄用水路に連通させるとともに、各ヘッド室の外周端に寄った位置に前記洗浄用ノズルを設けたことを特徴とする食器洗い機のノズル回転構造。
【請求項３】
食器洗い機内部に設けた洗浄用水路にノズル取付け部を設け、該ノズル取付け部にノズルヘッドを回転自在に取付けるとともに、該ノズルヘッドの内部を前記洗浄用水路に連通させ、前記ノズルヘッドに所要数の洗浄用ノズル及び水流による回転手段を設けてなる食器洗い機のノズル回転構造において、前記回転手段が第１と第２の二つの回転手段からなり、その第１の回転手段として、前記ノズルヘッド裏面に回転翼を設け、前記洗浄用水路に該回転翼に向けた回転用ノズルを設けた構成を採用し、第２の回転手段として、前記ノズルヘッドの内部にその内周部から外周壁に渡る範囲に所要数の螺旋翼を設けることにより該ノズルヘッド内部を複数のヘッド室に区画し、各ヘッド室を前記洗浄用水路に連通させるとともに、各ヘッド室の外周端に寄った位置に前記洗浄用ノズルを設けた構成を採用したことを特徴とする食器洗い機のノズル回転構造。
【請求項４】
前記の洗浄用水路が上下２段に分けて設けられ、その上段の洗浄用水路のノズル取付け部に前記のノズルヘッドを取付けたことを特徴とする請求項１から３のいずれかに記載の食器洗い機のノズル回転構造。
【発明の詳細な説明】
【０００１】
【発明の属する技術分野】
この発明は、食器洗い機のノズル回転構造に関するものである。
【０００２】
【従来の技術】
従来の食器洗い機におけるノズル回転構造は、ポンプに連通した洗浄用水路にノズル取付け部を設け、そのノズル取付け部にノズルヘッドを回転自在に取付ける。ノズルヘッドの内部はノズル取付け部の内部を通じて洗浄用水路に連通される。ノズルヘッドには複数の洗浄用ノズルとともに回転中心の両側において平行逆向きの左右一対又は複数対の回転用ノズルが同一回転面内に設けられる。このような回転構造をもったノズルヘッドが、食器洗い機の内部において１か所又は複数か所に設けられる（特許文献１参照）。
【０００３】
食器の洗浄時は、ポンプから圧送される洗浄水が洗浄用水路、ノズル取付け部を経てノズルヘッド内部に供給される。その洗浄水が前記の回転用ノズルから噴射されると、左右で対になった回転用ノズルから噴射される水の反力によりノズルヘッドが回転される。これと同時に洗浄用ノズルから食器に向けて洗浄水が噴射され、食器の洗浄が行われる。
【０００４】
【特許文献１】
特開平５−１１５４１５号公報（実施例、図１から図４）
【０００５】
【発明が解決しようとする課題】
しかしながら、上記のノズル回転構造によると、ノズルヘッドに流入した洗浄水のうち何割かは回転用ノズルから噴射される。回転用ノズルから噴射される水は専らノズルヘッドを回転するために使用され、食器を洗浄するための役目は果たし得ない。即ち、洗浄用ノズルから噴射される洗浄水を有効成分、回転用ノズルから噴射される水を無効成分であるとすると、前記のノズル回転構造は、ノズルヘッドの中に有効成分と無効成分の水が混在し、その無効成分の水のもつエネルギーによりノズルヘッドとその内部の水の全体が回転されることになる。
【０００６】
一方、省エネルギーの観点から、食器洗い機においてもポンプの消費電力の低減が要求されているが、かかる観点から従来のノズル回転構造を見ると、前記のように、ノズルヘッドの内部には洗浄に寄与しない無効成分の水が含まれる。その無効成分のエネルギーはポンプから供給されるので、有効成分を一定に保って洗浄効果を一定に維持しつつ無効成分を小さくすることができれば、ポンプの消費電力の低減を図ることができるはずである。
【０００７】
そこで、この発明は洗浄効果を一定に維持しつつ、無効成分を小さくすることによってポンプの消費電力を低減することを課題とする。
【０００８】
【課題を解決するための手段】
上記の課題を解決するために、この発明は、食器洗い機内部に設けた洗浄用水路にノズル取付け部を設け、該ノズル取付け部にノズルヘッドを回転自在に取付けるとともに、該ノズルヘッドの内部を前記洗浄用水路に連通させ、前記ノズルヘッドに所要数の洗浄用ノズル及び水流による回転手段を設けてなる食器洗い機のノズル回転構造において、前記回転手段として、前記ノズルヘッド裏面に回転翼を設け、前記洗浄用水路に該回転翼に向けた回転用ノズルを設けた構成を採用した。この構成によると、回転用ノズルが洗浄用通路に設けられ、その回転用ノズルから噴射された洗浄水は、ノズルヘッドの内部に流入することなく、その裏面に設けられた回転翼に衝突してノズルヘッドを回転させる。ノズルヘッドの内部に流入した洗浄水はすべて洗浄用ノズルから食器に向けて噴射される有効成分である。ノズルへッドの内部には回転用ノズルから噴出される無効成分の水は流入しないので、ノズルヘッドを回転させるエネルギーは少なくてすみ、ポンプの消費電力を低減させることができる。
【０００９】
ノズルヘッドのその他の回転手段として、前記ノズルヘッドの内部にその内周部から外周壁に渡る範囲に所要数の螺旋翼を設けることにより該ノズルヘッド内部を複数のヘッド室に区画し、各ヘッド室を前記洗浄用水路に連通させるとともに、各ヘッド室の外周端に寄った位置に前記洗浄用ノズルを設けた構成を採用することができる。この構成においては、洗浄用水路から各ヘッド室に流入した洗浄水の圧力が螺旋翼に作用してノズルヘッドを回転させると同時に、各ヘッド室のノズルから食器に向けて噴射される。ノズルヘッドに流入した洗浄水はすべて洗浄に寄与する有効成分である。但し、洗浄水のもつエネルギーの一部が回転エネルギーとして費やされる。
【００１０】
さらに、その他の回転手段として第１と第２の二つの回転手段からなるもの、即ち、第１の回転手段として、前記ノズルヘッド裏面に回転翼を設け、前記洗浄用水路に該回転翼に向けた回転用ノズルを設けた構成を採用し、第２の回転手段として、前記ノズルヘッドの内部にその内周部から外周壁に渡る範囲に所要数の螺旋翼を設けることにより該ノズルヘッド内部を複数のヘッド室に区画し、各ヘッド室を前記洗浄用水路に連通させるとともに、各ヘッド室の外周端に寄った位置に前記洗浄用ノズルを設けた構成を採用することができる。この構成によると、前述した二つの回転手段を総合した作用効果が得られる。
【００１１】
また、前記の洗浄用水路を上下２段に分けて設け、その上段の洗浄用水路に前記のノズルヘッドを取付けた構成を採用することが望ましい。このような２段構造を採ると、上段のノズルヘッド又は上段洗浄用水路の回転用ノズルから噴射された洗浄水が下段洗浄用水路の近辺に配列された食器上に落下するため、これらが二次的な洗浄水となり洗浄効果を向上させる。
【００１２】
【発明の実施形態】
以下、添付図面に基づいてこの発明の実施形態を説明する。図１（ａ）（ｂ）は食器洗い機の一例を示す。この食器洗い機は、ケーシング１の内底部にシンク２を設置するとともに、そのシンク２の下部に水タンク３を設けている。水タンク３には切換え弁４を介在した排水用水路５が接続されるとともに、ポンプ６を介在した洗浄用水路７が接続される。洗浄用水路７は下段水路８と上段水路９に分けられた２段構造をなし、下段水路８の上部に下段食器棚１０、上段水路９の上部に上段食器棚１１がそれぞれ設けられる。下段水路８からの立上り部分と上段水路９に水路カバー７’が被せられる。ケーシング１の前面開放部に扉１２が取付けられる。
【００１３】
前記の下段水路８に下段用のノズルヘッド１３が左右２か所に取付けられ、また上段水路９に４つの上段用のノズルヘッド１４が取付けられる。図２（ａ）から（ｃ）に示した第１の実施形態のノズルヘッド１４は、その内周面が上段水路９の途中に上向きに突き出した筒状のノズル取付け部１５の外周面に回転自在に嵌合される。ノズルヘッド１４は、ヘッド下板１６に伏椀状のヘッド上部材１７を接合一体化したものであり、ヘッド上部材１７に複数の洗浄用ノズル１８が上向きに突設される。ヘッド下板１６の中心部分にボス部１９が設けられ、そのボス部１９の内周面を前記のノズル取付け部１５に外嵌するとともに、ノズル取付け部１５の上端に設けた外向きつば２１に係合され抜け止めが図られる。
【００１４】
前記ヘッド下板１６の裏面において、ボス部１９の外周面からヘッド下板１６の外径面までの間に周方向に一定の間隔をおいて放射状の回転翼２２が設けられる（図２（ｃ）参照）。図２（ａ）に示すように、ヘッド下板１６の厚さと回転翼２２の高さを合わせた寸法ａは、ノズル取付け部１５の円筒部分の高さｂより若干の寸法ｃだけ小さい。このため、ノズルヘッド１４はｃだけ上下方向に移動する自由度をもってノズル取付け部１５に回転自在に嵌合される。図２（ａ）はノズルヘッド１４が水圧を受けて上昇した状態を示す。
【００１５】
また、前記ノズルヘッド１４の裏面に対向した上段水路９には、図２（ａ）（ｂ）に示したように、上段水路９の流れの方向Ａに沿って傾斜した回転用ノズル２３が流れの方向Ａと直角の方向の回転翼２２に向けて設けられ、その回転用ノズル２３の上段水路９中の洗浄水を噴射して回転トルクを与える。
【００１６】
第１の実施形態のノズル回転構造は以上のようなものであり、食器２４（図１参照）を洗浄するに際して、図示省略の給水装置から水タンク３に洗浄水を供給するとともに、ポンプ６を駆動して下段水路８、上段水路９からそれぞれノズルヘッド１３、１４を通じて洗浄水を食器２４に向けて噴射する。
【００１７】
このとき、上段水路９においては洗浄水がノズル取付け部１５を通じて内部に流入するとともに、回転用ノズル２３から外部に噴射された水が回転翼２２に当り、ノズルヘッド１４を回転させる。ノズルヘッド１４内に流入した洗浄水は洗浄用ノズル１８から食器２４に向けて噴射され食器２４の洗浄を行う。回転用ノズル２３から噴射された水は、上段の食器２４の洗浄に直接は寄与しないが、ノズルヘッド１４の回転に寄与した後は下段の食器２４上に落下するので、下段の食器２４の洗浄に寄与する。
【００１８】
上記のように、ノズルヘッド１４の内部に流入した洗浄水はすべて洗浄に有効に寄与する。また、そのノズルヘッド１４を回転するエネルギーは、ノズルヘッド１４自体とその内部の洗浄水を回転させるに必要なものでよく、ノズルヘッド１４の内部には回転のための水（即ち、洗浄に寄与しない無効成分の水）は含まれないので、前述した従来の場合に比べ小エネルギーとなり、ポンプ６の消費電力を低減させることができる。また、この実施形態の場合は、ノズルヘッド１４を上段水路９に設けているので、回転用ノズル２３から噴射された洗浄水は、二次的に下段の食器２４の洗浄に寄与する。このため、ポンプ６の消費電力の一層の低減効果がある。
【００１９】
なお、図２（ａ）に示すように、ノズルヘッド１４は洗浄水の圧力によりｃだけ持ち上げられ、ヘッド下板１６が外向きつば２１に当った状態で回転するが、洗浄水の供給が停止されると自重で落下してｃがゼロとなる。このようにしてノズルヘッド１４が上下動することにより、ノズルヘッド１４の回転面にゴミがかみ込むことを防止する。
【００２０】
次に、図３に示した第２の実施形態は、ノズルヘッド１４を上段水路９のノズル取付け部１５に支持する構造は前述の場合と同様であるが、回転機構が相違する。即ち、この場合のノズルヘッド１４は、その内周部からヘッド上部材１７の外周壁に渡る範囲に周方向に一定間隔をおいて螺旋翼２５を設けることによって、その内部を複数のヘッド室２６に区画している。各ヘッド室２６はノズル取付け部１５を経て上段水路９に連通している。
【００２１】
上記の各螺旋翼２５の内端（ボス部１９側の端部）に切欠き部２７を設け、ノズル取付け部１５の外向きつば２１との干渉を避けている。また、ノズルヘッド１４の上下方向の移動を許容するため、ボス部１９と上段水路９との間に上下方向のすき間ｄを設けている。このすき間ｄは前記のすき間ｃと同様に、ノズルヘッド１４の上下動を許容することにより回転部分におけるゴミのかみ込みを防止する。前記の螺旋翼２５によって区画されたヘッド室２６の外周端部のヘッド上部材１７には洗浄用ノズル１８が設けられる。
【００２２】
上記のように構成すると、上段水路９のノズル取付け部１５からノズルヘッド１４に流入した洗浄水は、螺旋翼２５によって区画された各ヘッド室２６に分かれて流入する。螺旋翼２５に加えられる圧力によりノズルヘッド１４が回転されると共に、洗浄用ノズル１８から洗浄水が噴射され食器を洗浄する。この場合は、ノズルヘッド１４内に流入したすべての洗浄水が洗浄用ノズル１８から噴射され有効成分として洗浄に寄与する。但し、その洗浄水のもつエネルギーの一部がノズルヘッド１４の回転エネルギーとして費やされる。
【００２３】
次に、図４に示した第３の実施形態は、前述の第１と第２の実施形態の構成を組み合わせたものである。即ち、第１実施形態の場合と同様に、ヘッド下板１６の裏面に放射状の回転翼２２が設けられ、上段水路９に設けた回転用ノズル２３から噴射される洗浄水を回転翼２２に当てることによりノズルヘッド１４を回転させる。また、ノズルヘッド１４の内部には第２実施形態の場合と同様に螺旋翼２５を設け、その螺旋翼２５によって区画されたヘッド室２６に洗浄用ノズル１８が設けられる。
【００２４】
この構成によると、回転翼２２と螺旋翼２５の両方に作用する圧力によりノズルヘッド１４が回転されるので、大きな回転エネルギーが得られる。ノズルヘッド１４内に流入したすべての水が洗浄に寄与する点は第１及び第２の実施形態の場合と同様である。
【００２５】
【発明の効果】
以上のように、この発明によれば、ノズルヘッドの回転手段として、その外部に設けた回転翼に水路の回転用ノズルから水を噴射させる構造、又はノズルヘッド内部の螺旋翼に水圧を作用させる構造、さらにはこれらの複合的な構造を採用することにより、ノズルヘッドに流入したすべての水を食器の洗浄に有効に寄与させることができ、これにより洗浄効率を向上させポンプの消費電力を低減させることができる。
【図面の簡単な説明】
【図１】（ａ）実施形態の食器洗浄機の一部省略縦断正面図
（ｂ）同上の縦断側面図
【図２】（ａ）第１の実施形態の断面図
（ｂ）同上の平面図
（ｃ）同上のノズルヘッドの斜視図
【図３】（ａ）第２の実施形態の断面図
（ｂ）同上の平面図
（ｃ）同上のノズルヘッドの斜視図
【図４】（ａ）第３の実施形態の断面図
（ｂ）同上の平面図
（ｃ）同上のノズルヘッドの斜視図
【符号の説明】
１  ケーシング
２  シンク
３  水タンク
４  切換え弁
５  排水用水路
６  ポンプ
７  洗浄用水路
７’  水路カバー
８  下段水路
９  上段水路
１０  下段食器棚
１１  上段食器棚
１２  扉
１３  ノズルヘッド
１４  ノズルヘッド
１５  ノズル取付け部
１６  ヘッド下板
１７  ヘッド上部材
１８  洗浄用ノズル
１９  ボス部
２１  外向きつば
２２  回転翼
２３  回転用ノズル
２４  食器
２５  螺旋翼
２６  ヘッド室
２７  切欠き部
【図１】
2004236963.tif 000003
【図２】
2004236963.tif 000004
【図３】
2004236963.tif 000005
【図４】
2004236963.tif 000006